【事件の表示】
　国際登録第１０５５９４０号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲のとおりの構成よりなり、第３５類ないし第３８類及び第４２類に属する日本国を指定する国際登録において指定された役務を指定役務として、２０１０年（平成２２年）２月１６日にＵｎｉｔｅｄ　Ｋｉｎｇｄｏｍにおいてした商標登録出願に基づいてパリ条約第４条による優先権を主張し、同年８月１６日に国際商標登録出願されたものである。
　その後、指定役務については、原審において平成２３年９月３０日付け手続補正書の提出があり、さらに、当審において２０１２年４月１２日付けで国際登録原簿に記録された限定の通報があった結果、最終的に、第３６類「Ｌｅａｓｉｎｇ　ｏｆ　ｏｆｆｉｃｅ　ｓｐａｃｅ；ｌｅａｓｉｎｇ　ｏｆ　ｏｆｆｉｃｅ　ｓｐａｃｅ　ｆｏｒ　ｕｓｅ　ｉｎ　ｒｅｌａｔｉｏｎ　ｔｏ　ｄａｔａ　ｐｒｏｃｅｓｓｉｎｇ　ａｐｐａｒａｔｕｓ；ｒｅｎｔａｌ　ｏｆ　ｓｐａｃｅ　ｆｏｒ　ｄａｔａ　ｃｅｎｔｒｅｓ；ｍａｎａｇｅｍｅｎｔ　ｏｆ　ｂｕｉｌｄｉｎｇｓ；ｐｒｏｖｉｓｉｏｎ　ｏｆ　ｉｎｆｏｒｍａｔｉｏｎ，ｃｏｎｓｕｌｔａｎｃｙ　ａｎｄ　ａｄｖｉｃｅ　ｒｅｌａｔｉｎｇ　ｔｏ　ｔｈｅ　ａｆｏｒｅｓａｉｄ．」、第３８類「Ｔｅｌｅｃｏｍｍｕｎｉｃａｔｉｏｎｓ　ａｎｄ　ｍｕｌｔｉｍｅｄｉａ　ｔｒａｎｓｍｉｓｓｉｏｎ　ｓｅｒｖｉｃｅｓ，ｉｎｃｌｕｄｉｎｇ　ｔｈｅ　ｐｒｏｖｉｓｉｏｎ　ａｎｄ　ｒｅｎｔａｌ　ｏｆ　ｔｅｌｅｃｏｍｍｕｎｉｃａｔｉｏｎｓ　ｍｕｌｔｉｍｅｄｉａ　ａｎｄ　ｃｏｍｐｕｔｉｎｇ　ｅｑｕｉｐｍｅｎｔ　ａｎｄ　ｌｉｎｋｓ；Ｔｅｌｅｈｏｕｓｉｎｇ　ｓｅｒｖｉｃｅｓ，ｎａｍｅｌｙ，ｃｏｍｍｕｎｉｃａｔｉｏｎ　ｏｆ　ｄａｔａ　ｂｙ　ｍｅａｎｓ　ｏｆ　ｔｅｌｅｃｏｍｍｕｎｉｃａｔｉｏｎｓ，ｄａｔａ　ｔｒａｎｓｍｉｓｓｉｏｎ　ｓｅｒｖｉｃｅｓ　ｏｖｅｒ　ｔｅｌｅｃｏｍｍｕｎｉｃａｔｉｏｎｓ　ｎｅｔｗｏｒｋｓ，ｄｉｇｉｔａｌ　ｎｅｔｗｏｒｋ　ｔｅｌｅｃｏｍｍｕｎｉｃａｔｉｏｎｓ　ｓｅｒｖｉｃｅｓ，ｈｉｒｅ　ｏｆ　ｔｅｌｅｃｏｍｍｕｎｉｃａｔｉｏｎｓ　ｉｎｓｔａｌｌａｔｉｏｎｓ，ｏｐｅｒａｔｉｏｎ　ｏｆ　ｔｅｌｅｃｏｍｍｕｎｉｃａｔｉｏｎｓ　ｓｙｓｔｅｍｓ，ｐｒｏｖｉｓｉｏｎ　ｏｆ　ａｃｃｅｓｓ　ｔｏ　ｔｅｌｅｃｏｍｍｕｎｉｃａｔｉｏｎ　ｎｅｔｗｏｒｋｓ，ｐｒｏｖｉｓｉｏｎ　ｏｆ　ａｃｃｅｓｓ　ｔｏ　ｔｅｌｅｃｏｍｍｕｎｉｃａｔｉｏｎ　ｗａｒｅｈｏｕｓｉｎｇ　ｓｅｒｖｉｃｅｓ，ｐｒｏｖｉｓｉｏｎ　ｏｆ　ｔｅｌｅｃｏｍｍｕｎｉｃａｔｉｏｎ　ｆａｃｉｌｉｔｉｅｓ，ｐｒｏｖｉｓｉｏｎ　ｏｆ　ｔｈｉｒｄ　ｐａｒｔｙ　ｕｓｅｒｓ　ｗｉｔｈ　ａｃｃｅｓｓ　ｔｏ　ｔｅｌｅｃｏｍｍｕｎｉｃａｔｉｏｎ　ｉｎｆｒａｓｔｒｕｃｔｕｒｅ，ｐｒｏｖｉｄｉｎｇ　ａｃｃｅｓｓ　ｔｏ　ｔｅｌｅｃｏｍｍｕｎｉｃａｔｉｏｎｓ　ｈｕｂｓ，ｐｒｏｖｉｓｉｏｎ　ｏｆ　ｌｏｃａｔｉｏｎ　ｂａｓｅｄ　ｓｅｒｖｉｃｅｓ　ｆｏｒ　ｔｅｌｅｃｏｍｍｕｎｉｃａｔｉｏｎｓ　ａｐｐａｒａｔｕｓ，ｒｅｍｏｔｅ　ｔｒａｎｓｍｉｓｓｉｏｎ　ｏｆ　ｄａｔａ　ｂｙ　ｍｅａｎｓ　ｏｆ　ｔｅｌｅｃｏｍｍｕｎｉｃａｔｉｏｎｓ，ｒｅｎｔａｌ　ｏｆ　ｃｏｍｍｕｎｉｃａｔｉｏｎｓ　ａｎｄ　ｔｅｌｅｃｏｍｍｕｎｉｃａｔｉｏｎｓ　ｉｎｓｔａｌｌａｔｉｏｎｓ，ｒｅｎｔａｌ　ｏｆ　ｔｅｌｅｃｏｍｍｕｎｉｃａｔｉｏｎｓ　ｌｉｎｅｓ，ｒｅｎｔａｌ　ｏｆ　ｃｏｍｍｕｎｉｃａｔｉｏｎｓ　ａｐｐａｒａｔｕｓ，ｒｅｎｔａｌ　ｓｅｒｖｉｃｅｓ　ｉｎ　ｃｏｎｎｅｃｔｉｏｎ　ｗｉｔｈ　ｃｏｍｍｕｎｉｃａｔｉｏｎｓ　ａｐｐａｒａｔｕｓ　ａｎｄ　ｅｑｕｉｐｍｅｎｔ，ｒｅｎｔａｌ　ｓｅｒｖｉｃｅｓ　ｉｎ　ｃｏｎｎｅｃｔｉｏｎ　ｗｉｔｈ　ｔｅｌｅｃｏｍｍｕｎｉｃａｔｉｏｎｓ　ａｐｐａｒａｔｕｓ　ａｎｄ　ｅｑｕｉｐｍｅｎｔ，ｒｏｕｔｉｎｇ　ａｎｄ　ｃｏｎｎｅｃｔｉｎｇ　ｓｅｒｖｉｃｅｓ　ｆｏｒ　ｔｅｌｅｃｏｍｍｕｎｉｃａｔｉｏｎｓ，ｔｅｌｅｃｏｍｍｕｎｉｃａｔｉｏｎｓ　ａｃｃｅｓｓ　ｓｅｒｖｉｃｅｓ　ａｎｄ　ｔｅｌｅｃｏｍｍｕｎｉｃａｔｉｏｎｓ　ｓｅｃｕｒｉｔｙ　（ｐｒｏｖｉｄｉｎｇ　ｓｅｃｕｒｅ　ｃｏｎｎｅｃｔｉｏｎｓ　ａｎｄ　ａｃｃｅｓｓ　ｉｎｃｌｕｄｉｎｇ　ｔｏ　ｃｏｍｐｕｔｅｒｓ　＆　ｔｈｅ　ｇｌｏｂａｌ　ｃｏｍｐｕｔｅｒ　ｎｅｔｗｏｒｋ；ｔｅｌｅｃｏｍｍｕｎｉｃａｔｉｏｎｓ，ｔｅｌｅｃｏｍｍｕｎｉｃａｔｉｏｎｓ　ｖｉａ　ｐｌａｔｆｏｒｍｓ　ａｎｄ　ｐｏｒｔａｌｓ　ｏｎ　ｔｈｅ　ｉｎｔｅｒｎｅｔ；ｐｒｏｖｉｄｉｎｇ　ｏｐｅｒａｔｉｏｎ　ｆａｃｉｌｉｔｉｅｓ　ｆｏｒ　ｔｅｌｅｃｏｍｍｕｎｉｃａｔｉｏｎｓ，ｉｎｆｏｒｍａｔｉｏｎ　ｔｅｃｈｎｏｌｏｇｙ，ｍｕｌｔｉｍｅｄｉａ　ａｎｄ　ｃｏｍｐｕｔｉｎｇ　ｅｑｕｉｐｍｅｎｔ　ａｎｄ　ｓｅｒｖｉｃｅｓ，ｎａｍｅｌｙ　ｒｅｎｔａｌ　ｏｆ　ｔｅｌｅｃｏｍｍｕｎｉｃａｔｉｏｎ　ｅｑｕｉｐｍｅｎｔ；ｃｏｎｓｕｌｔｉｎｇ　ｏｎ　ｔｅｌｅｃｏｍｍｕｎｉｃａｔｉｏｎｓ　ｓｅｃｕｒｉｔｙ　ａｎｄ　ｍｏｎｉｔｏｒｉｎｇ　ｓｅｒｖｉｃｅｓ；ａｄｖｉｓｏｒｙ　ａｎｄ　ｃｏｎｓｕｌｔａｎｃｙ　ｓｅｒｖｉｃｅｓ　ｃｏｎｃｅｒｎｉｎｇ　ｔｅｌｅｃｏｍｍｕｎｉｃａｔｉｏｎｓ，ｉｎｆｏｒｍａｔｉｏｎ　ｔｅｃｈｎｏｌｏｇｙ　ａｎｄ　ｍｕｌｔｉｍｅｄｉａ，ｉｎｃｌｕｄｉｎｇ　ｓｐｅｃｉａｌｉｓｔ　ａｄｖｉｃｅ　ｃｏｎｃｅｒｎｉｎｇ　ｌｏｃａｔｉｏｎ，ｉｎｓｔａｌｌａｔｉｏｎ　ａｎｄ　ｏｐｅｒａｔｉｏｎ　ｏｆ　ｃｏｍｍｕｎｉｃａｔｉｏｎ　ｓｙｓｔｅｍｓ　ａｎｄ　ｄａｔａ　ｉｎｔｅｇｒａｔｉｏｎ　ｗｉｔｈ　ｌｏｃａｌ　ａｎｄ　ｗｏｒｌｄｗｉｄｅ　ｔｅｌｅｃｏｍｍｕｎｉｃａｔｉｏｎｓ　ｉｎｆｒａｓｔｒｕｃｔｕｒｅｓ；ｐｒｏｖｉｓｉｏｎ　ｏｆ　ａｃｃｅｓｓ　ｔｏ　ｔｅｌｅｃｏｍｍｕｎｉｃａｔｉｏｎｓ　ｐｒｏｖｉｄｅｒｓ；ｌｅａｓｉｎｇ　ａｃｃｅｓｓ　ｔｉｍｅ　ｔｏ　ｍｕｌｔｉｍｅｄｉａ　ｅｑｕｉｐｍｅｎｔ，ｃｏｍｐｕｔｅｒｓ　ａｎｄ　ｃｏｍｐｕｔｅｒ　ｄａｔａｂａｓｅｓ；ｐｒｏｖｉｓｉｏｎ　ｏｆ　ｉｎｆｏｒｍａｔｉｏｎ，ｃｏｎｓｕｌｔａｎｃｙ　ａｎｄ　ａｄｖｉｃｅ　ｒｅｌａｔｉｎｇ　ｔｏ　ａｌｌ　ｔｈｅ　ａｆｏｒｅｓａｉｄ．」及び第４２類「Ｒｅｎｔａｌ　ｏｆ　ｍｕｌｔｉｍｅｄｉａ　ｅｑｕｉｐｍｅｎｔ，ｃｏｍｐｕｔｅｒ　ｈａｒｄｗａｒｅ　ａｎｄ　ｓｏｆｔｗａｒｅ；ｐｒｏｖｉｓｉｏｎ　ｏｆ　ｉｎｆｏｒｍａｔｉｏｎ，ｃｏｎｓｕｌｔａｎｃｙ　ａｎｄ　ａｄｖｉｃｅ　ｒｅｌａｔｉｎｇ　ｔｏ　ｔｈｅ　ａｆｏｒｅｓａｉｄ．」とされたものである。
２　原査定の拒絶の理由の要点
　原査定は、「本願商標は、登録第４７９９８７０号商標（以下「引用商標」という。）と同一又は類似の商標であって、同一又は類似の役務について使用するものであるから、商標法第４条第１項第１１号に該当する。」旨認定、判断し、本願を拒絶したものである。
３　当審の判断
　本願商標の指定役務は、前記１のとおり限定された結果、引用商標の指定役務と同一又は類似の役務がすべて削除され、本願商標と引用商標とは、指定役務において抵触しないものとなった。
　したがって、本願商標が商標法第４条第１項第１１号に該当するとして本願を拒絶した原査定の拒絶の理由は、解消した。
　その他、本願について拒絶の理由を発見しない。
　よって、結論のとおり審決する。